【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
移動局についての位置決定の方法であって、
前記移動局で受信された位置決定信号から前記移動局についての位置決定のための第１の測定値を決定し、
前記第１の測定値についての第１の信頼性インジケータを決定するために、前記位置決定信号から、前記第１の測定値が誤警報である確率を推定する、
ことを具備する方法。
【請求項２】
前記第１の測定値を使用して計算された前記移動局についての位置が誤りでない確率を表すために前記第１の信頼性インジケータから信頼性レベルを決定することをさらに具備する請求項１記載の方法。
【請求項３】
前記位置は前記移動局で計算される請求項２記載の方法。
【請求項４】
前記第１の測定値および前記第１の信頼性インジケータを前記移動局の位置決定のためのリモートサーバに送信することをさらに具備する請求項１記載の方法。
【請求項５】
前記第１の測定値のための前記位置決定信号から決定される１つまたはそれ以上の信号品質インジケータを、前記移動局からリモートサーバに送信することをさらに具備し、
前記第１の信頼性インジケータは前記１つまたはそれ以上の信号品質インジケータを使用して前記リモートサーバで決定される、
請求項１記載の方法。
【請求項６】
前記移動局で受信された位置決定信号から前記移動局についての位置決定のための第２の測定値を決定し、
前記第２の測定値についての第２の信頼性インジケータを決定するために、前記位置決定信号から、前記第２の測定値が誤警報である確率を推定する、
ことをさらに具備する請求項１記載の方法。
【請求項７】
前記第１および第２の測定値を使用して前記移動局についての位置ソリューションを計算し、
前記位置ソリューションの信頼性を決定するために前記第１および第２の信頼性インジケータを結合する、
ことをさらに具備する請求項６記載の方法。
【請求項８】
前記第１および第２の信頼性インジケータを使用して位置決定から前記第１および第２の測定値の１つを除去することをさらに具備する請求項６記載の方法。
【請求項９】
前記第１の信頼性インジケータは下記の少なくとも１つから決定される請求項１記載の方法：
ａ）相関ピークの大きさ；
ｂ）相関ピーク幅；
ｃ）信号強度；
ｄ）信号対雑音比；
ｅ）信号対干渉比；
ｆ）前記第１の測定値を決定するために使用された相関ピークと１つまたはそれ以上の候補ピークとの関係；および
ｇ）前記第１の測定値を決定するための信号と検出された信号との関係。
【請求項１０】
前記第１の測定値は下記の１つを具備する請求項１記載の方法：
ａ）信号の到着時刻；および
ｂ）疑似レンジ。
【請求項１１】
データ処理システムによって実行される時に該システムに移動局についての位置決定の方法を実行させる、実行可能なコンピュータプログラム命令を含む機械可読性媒体であって、
前記方法は、
前記移動局で受信された位置決定信号から前記移動局についての位置決定のための第１の測定値を決定し、
前記第１の測定値についての第１の信頼性インジケータを決定するために、前記位置決定信号から、前記第１の測定値が誤警報である確率を推定する、
ことを具備する、
機械可読性媒体。
【請求項１２】
前記方法は、前記第1の測定値を使用して計算された前記移動局についての位置が誤りでない確率を表すために前記第１の信頼性インジケータから信頼性レベルを決定することをさらに具備する、請求項１１記載の媒体。
【請求項１３】
前記位置は前記移動局で計算される請求項１２記載の媒体。
【請求項１４】
前記方法は、前記移動局の位置決定のためのリモートサーバに前記第１の測定値および前記第１の信頼性インジケータを送信することをさらに具備する、請求項１１記載の媒体。
【請求項１５】
前記方法は、前記第１の測定値のための前記位置決定信号から決定される１つまたはそれ以上の信号品質インジケータを、前記移動局からリモートサーバに送信することをさらに具備し、前記第１の信頼性インジケータは前記１つまたはそれ以上の信号品質インジケータを使用して前記リモートサーバで決定される、請求項１１記載の媒体。
【請求項１６】
前記方法は、
前記移動局で受信された位置決定信号から前記移動局についての位置決定のための第２の測定値を決定し、
前記第２の測定値についての第２の信頼性インジケータを決定するために、前記位置決定信号から、前記第２の測定値が誤警報である確率を推定する、
ことをさらに具備する、請求項１１記載の媒体。
【請求項１７】
前記方法は、
前記第１および第２の測定値を使用して前記移動局についての位置ソリューションを計算し、
前記位置ソリューションの信頼性を決定するために前記第１および第２の信頼性インジケータを結合する、
ことをさらに具備する、請求項１６記載の媒体。
【請求項１８】
前記方法は、前記第１および第２の信頼性インジケータを使用して位置決定から前記第１および第２の測定値の１つを除去することをさらに具備する、請求項１６記載の媒体。
【請求項１９】
前記第１の信頼性インジケータは下記の少なくとも１つから決定される請求項１１記載の媒体：
ａ）相関ピークの大きさ；
ｂ）相関ピーク幅；
ｃ）信号強度；
ｄ）信号対雑音比；
ｅ）信号対干渉比；
ｆ）前記第１の測定値を決定するために使用された相関ピークと１つまたはそれ以上の候補ピークとの関係；および
ｇ）前記第１の測定値を決定するための信号と検出された信号との関係。
【請求項２０】
前記第１の測定値は下記の１つを具備する請求項１１記載の媒体：
ａ）信号の到着時刻；および
ｂ）疑似レンジ。
【請求項２１】
移動局についての位置決定のためのデータ処理システムであって、
前記移動局で受信された位置決定信号から前記移動局についての位置決定のための第１の測定値を決定するための手段と、
前記第１の測定値についての第１の信頼性インジケータを決定するために、前記位置決定信号から、前記第１の測定値が誤警報である確率を推定するための手段と、
を具備するデータ処理システム。
【請求項２２】
前記第１の測定値を使用して計算された前記移動局についての位置が誤りでない確率を表すために前記第１の信頼性インジケータから信頼性レベルを決定するための手段をさらに具備する請求項２１記載のデータ処理システム。
【請求項２３】
前記位置は前記移動局で計算される請求項２２記載のデータ処理システム。
【請求項２４】
前記第１の測定値および前記第１の信頼性インジケータを前記移動局の位置決定のためのリモートサーバに送信するための手段をさらに具備する請求項２１記載のデータ処理システム。
【請求項２５】
前記第１の測定値のための前記位置決定信号から決定される１つまたはそれ以上の信号品質インジケータを、前記移動局からリモートサーバに送信するための手段をさらに具備し、
前記第１の信頼性インジケータは前記１つまたはそれ以上の信号品質インジケータを使用して前記リモートサーバで決定される、
請求項２１記載のデータ処理システム。
【請求項２６】
前記移動局で受信された位置決定信号から前記移動局についての位置決定のための第２の測定値を決定するための手段と、
前記第２の測定値についての第２の信頼性インジケータを決定するために、前記位置決定信号から、前記第２の測定値が誤警報である確率を推定するための手段と、
をさらに具備する請求項２１記載のデータ処理システム。
【請求項２７】
前記第１および第２の測定値を使用して前記移動局についての位置ソリューションを計算するための手段と、
前記位置ソリューションの信頼性を決定するために前記第１および第２の信頼性インジケータを結合するための手段と、
をさらに具備する請求項２６記載のデータ処理システム。
【請求項２８】
前記第１および第２の信頼性インジケータを使用して位置決定から前記第１および第２の測定値の１つを除去するための手段をさらに具備する請求項２６記載のデータ処理システム。
【請求項２９】
前記第１の信頼性インジケータは下記の少なくとも１つから決定される請求項２１記載のデータ処理システム：
ａ）相関ピークの大きさ；
ｂ）相関ピーク幅；
ｃ）信号強度；
ｄ）信号対雑音比；
ｅ）信号対干渉比；
ｆ）前記第１の測定値の決定のために使用された相関ピークと１つまたはそれ以上の候補ピークとの関係；および
ｇ）前記第１の測定値の決定のための信号と検出された信号との関係。
【請求項３０】
前記第１の測定値は下記の１つを具備する請求項２１記載のデータ処理システム：
ａ）信号の到着時刻；および
ｂ）疑似レンジ。
【請求項３１】
位置決定システムの移動局であって、
位置決定信号を受信する信号受信回路と、
前記信号受信回路に結合されたプロセッサと、
を具備し、
前記プロセッサは、前記移動局で受信された前記位置決定信号から前記移動局についての位置決定のための第１の測定値を決定し、そして、前記プロセッサは、前記第１の測定値についての第１の信頼性インジケータを決定するために、前記位置決定信号から、前記第１の測定値が誤警報である確率を推定する、
移動局。
【請求項３２】
前記プロセッサは、前記第1の測定値を使用して計算された前記移動局についての位置が誤りでない確率を表すために前記第１の信頼性インジケータから信頼性レベルをさらに決定する、請求項３１記載の移動局。
【請求項３３】
前記プロセッサに結合された通信セクションをさらに具備し、前記通信セクションは前記第１の測定値および前記第１の信頼性インジケータを前記移動局の位置決定のためのリモートサーバに送信する請求項３１記載の移動局。
【請求項３４】
前記プロセッサは、前記移動局で受信された位置決定信号から前記移動局についての位置決定のための第２の測定値をさらに決定し、前記第２の測定値についての第２の信頼性インジケータを決定するために、前記位置決定信号から、前記第２の測定値が誤警報である確率を推定する、請求項３１記載の移動局。
【請求項３５】
前記プロセッサは、前記第１および第２の測定値を使用して前記移動局についての位置ソリューションをさらに計算し、前記位置ソリューションの信頼性を決定するために前記第１および第２の信頼性インジケータを結合する、請求項３４記載の移動局。
【請求項３６】
前記プロセッサは、前記第１および第２の信頼性インジケータを使用して位置決定から前記第１および第２の測定値の１つをさらに除去する請求項３４記載の移動局。
【請求項３７】
前記第１の信頼性インジケータは下記の少なくとも１つから決定される請求項３１記載の移動局：
ａ）相関ピークの大きさ；
ｂ）相関ピーク幅；
ｃ）信号強度；
ｄ）信号対雑音比；
ｅ）信号対干渉比；
ｆ）前記第１の測定値の決定のために使用された相関ピークと１つまたはそれ以上の候補ピークとの関係；および
ｇ）前記第１の測定値の決定のための信号と検出された信号との関係。
【請求項３８】
前記第１の測定値は下記の１つを具備する請求項３１記載の移動局：
ａ）信号の到着時刻；および
ｂ）疑似レンジ。